(57)【特許請求の範囲】
【請求項１】
動的サービスベースのシステム選択およびシステム決定を容易にするための方法であって、前記方法は、モバイルデバイスによってインプリメントされ、前記方法は、
ネットワークアクセスプロバイダ（ＮＡＰ）およびネットワークサービスプロバイダ（ＮＳＰ）に関して受信した情報に基づいてユーザにシステム選択オプションを提示することと、
前記システム選択オプションに関するユーザ入力を受信することと、なお、前記ユーザは、特定のＮＳＰによって提案された特定のサービスに関する入力を提供することができる、
前記ユーザ入力に基づいてシステム選択に関するユーザ設定を決定することと、
前記ユーザ設定に基づいて好ましいローミングリスト（ＰＲＬ）を作成することと、
利用可能なネットワークおよびチャネルのためにスキャンし、サービングシステムを見出すように前記ＰＲＬを使用することと、
前記ユーザが自動システム選択のためのオプションを選択した場合、
自動選択基準に関するユーザ入力を受信することと、
前記自動選択基準に基づいてＮＡＰおよび少なくとも１つのＮＳＰを自動的に選択することと、
を備え、前記ユーザ設定は、異なるサービスのための異なるＮＳＰのユーザ選択、特定のサービスのために前記ＮＳＰを変更する要求、新規のサービスに申し込む要求、またはそれらの組み合わせのうちの少なくとも１つを備える、
方法。
【請求項２】
前記モバイルデバイスによって受信されるＮＡＰレコードおよびＮＳＰレコードに基づいてＮＡＰ／ＮＳＰレコードテーブルを作成することをさらに備える、
請求項１に記載の方法。
【請求項３】
前記ユーザが手動システム選択のためのオプションを選択した場合、前記方法は、
利用可能なＮＡＰおよびＮＳＰに関する情報を決定することと、
前記ユーザに前記利用可能なＮＡＰおよびＮＳＰに関する情報を表示することと、
ＮＡＰおよび少なくとも１つのＮＳＰを選択するユーザ入力を受信することと、
をさらに備える、請求項１に記載の方法。
【請求項４】
前記ＮＡＰと前記ＮＳＰに関する更新された情報を受信することと、
前記更新された情報に基づいて前記システム選択オプションを動的に更新することと、をさらに備える、請求項１に記載の方法。
【請求項５】
前記モバイルデバイスは、ＷｉＭＡＸネットワークの動作のために構成され、前記ＮＡＰおよび前記ＮＳＰに関する前記情報は、前記モバイルデバイスによって受信されるダウンリンクＭＡＰ（ＤＬ−ＭＡＰ）メッセージに含まれる、
請求項１に記載の方法。
【請求項６】
前記モバイルデバイスは、第４世代（４Ｇ）ワイヤレス通信ネットワークで動作するために構成され、前記モバイルデバイスは、さらに少なくとも１つの第２世代（２Ｇ）または第３世代（３Ｇ）ワイヤレス通信ネットワークで動作するように構成される、
請求項１に記載の方法。
【請求項７】
プロセッサと、
前記プロセッサと電子通信するメモリと、
前記メモリ内に格納された命令と、
を備え、前記命令は、
ネットワークアクセスプロバイダ（ＮＡＰ）およびネットワークサービスプロバイダ（ＮＳＰ）に関して受信した情報に基づいてユーザにシステム選択オプションを提示し、
前記システム選択オプションに関するユーザ入力を受信し、なお、前記ユーザは、特定のＮＳＰによって提案された特定のサービスに関する入力を提供することができる、
前記ユーザ入力に基づいてシステム選択に関するユーザ設定を決定し、
前記ユーザ設定に基づいて好ましいローミングリスト（ＰＲＬ）を作成し
利用可能なネットワークおよびチャネルのためにスキャンし、サービングシステムを見出すために前記ＰＲＬを使用し、
前記ユーザが自動システム選択のためのオプションを選択した場合、
自動選択基準に関するユーザ入力を受信し、
前記自動選択基準に基づいてＮＡＰおよび少なくとも１つのＮＳＰを自動的に選択する、
ように前記プロセッサによって実行可能であり、前記ユーザ設定は、異なるサービスのための異なるＮＳＰのユーザ選択、特定のサービスのために前記ＮＳＰを変更する要求、新規のサービスに申し込む要求、またはそれらの組み合わせのうちの少なくとも１つを備える、
動的サービスベースのシステム選択およびシステム決定を容易にするために構成されるモバイルデバイス。
【請求項８】
前記命令は、さらに前記モバイルデバイスによって受信されるＮＡＰレコードおよびＮＳＰレコードに基づいてＮＡＰ／ＮＳＰレコードテーブルを作成するように実行可能である、
請求項７に記載のモバイルデバイス。
【請求項９】
前記ユーザが手動システム選択のためのオプションを選択した場合、前記命令は、さらに、
利用可能なＮＡＰおよびＮＳＰに関する情報を決定し、
前記ユーザへ前記利用可能なＮＡＰおよびＮＳＰに関する情報を表示し、
ＮＡＰおよび少なくとも１つのＮＳＰを選択するユーザ入力を受信する、
ように実行可能である、請求項７に記載のモバイルデバイス。
【請求項１０】
前記命令は、さらに、
前記ＮＡＰと前記ＮＳＰに関する更新された情報を受信し、
前記更新された情報に基づいて前記システム選択オプションを動的に更新する、
ように実行可能である、請求項７に記載のモバイルデバイス。
【請求項１１】
前記モバイルデバイスは、ＷｉＭＡＸネットワークで動作するために構成され、前記ＮＡＰおよび前記ＮＳＰに関する前記情報は、前記モバイルデバイスによって受信されるダウンリンクマップ（ＤＬ−ＭＡＰ）メッセージに含まれる、
請求項７に記載のモバイルデバイス。
【請求項１２】
前記モバイルデバイスは、第４世代（４Ｇ）ワイヤレス通信ネットワークで動作するために構成され、前記モバイルデバイスは、さらに少なくとも１つの第２世代（２Ｇ）または第３世代（３Ｇ）ワイヤレス通信ネットワークで動作するように構成される、
請求項７に記載のモバイルデバイス。
【請求項１３】
ネットワークアクセスプロバイダ（ＮＡＰ）およびネットワークサービスプロバイダ（ＮＳＰ）に関して受信した情報に基づいてユーザにシステム選択オプションを提示するための手段と、
前記システム選択オプションに関するユーザ入力を受信するための手段と、なお、前記ユーザは、特定のＮＳＰによって提案された特定のサービスに関する入力を提供することができる、
前記ユーザ入力に基づいてシステム選択に関するユーザ設定を決定するための手段と、
前記ユーザ設定に基づいて好ましいローミングリスト（ＰＲＬ）を作成するための手段と、
利用可能なネットワークおよびチャネルのためにスキャンし、サービングシステムを見出すように前記ＰＲＬを使用するための手段と、
前記ユーザが自動システム選択のためのオプションを選択した場合、
自動選択基準に関するユーザ入力を受信するための手段と、
前記自動選択基準に基づいてＮＡＰおよび少なくとも１つのＮＳＰを自動的に選択するための手段と、
を備え、前記ユーザ設定は、異なるサービスのための異なるＮＳＰのユーザ選択、特定のサービスのために前記ＮＳＰを変更する要求、新規のサービスに申し込む要求、またはそれらの組み合わせのうちの少なくとも１つを備える、
動的サービスベースのシステム選択およびシステム決定を容易にするために構成されるモバイルデバイス。
【請求項１４】
前記モバイルデバイスによって受信されるＮＡＰレコードおよびＮＳＰレコードに基づいてＮＡＰ／ＮＳＰレコードテーブルを作成することをさらに備える、
請求項１３に記載のモバイルデバイス。
【請求項１５】
前記ユーザが手動システム選択のためのオプションを選択した場合、前記モバイルデバイスは、
利用可能なＮＡＰおよびＮＳＰに関する情報を決定するための手段と、
前記ユーザに前記利用可能なＮＡＰおよびＮＳＰに関する情報を表示するための手段と、
ＮＡＰおよび少なくとも１つのＮＳＰを選択するユーザ入力を受信するための手段と、をさらに備える、請求項１３に記載のモバイルデバイス。
【請求項１６】
前記ＮＡＰと前記ＮＳＰに関する更新された情報を受信するための手段と、
前記更新された情報に基づいてシステム選択オプションを動的に更新するための手段と、
をさらに備える、請求項１３に記載のモバイルデバイス。
【請求項１７】
モバイルデバイスによって決定される動的サービスベースのシステム選択およびシステム決定を容易にするためのコンピュータ可読記憶媒体であって、前記コンピュータ可読記憶媒体は、その上に命令を有するコンピュータプログラムを備え、前記命令は、
ネットワークアクセスプロバイダ（ＮＡＰ）およびネットワークサービスプロバイダ（ＮＳＰ）に関して受信した情報に基づいてユーザにシステム選択オプションを提示するためのコードと、
前記システム選択オプションに関するユーザ入力を受信するためのコードと、なお、前記ユーザは、特定のＮＳＰによって提案された特定のサービスに関する入力を提供することができる、
前記ユーザ入力に基づいてシステム選択に関するユーザ設定を決定するためのコードと、
前記ユーザ設定に基づいて好ましいローミングリスト（ＰＲＬ）を作成するためのコードと、
利用可能なネットワークおよびチャネルのためにスキャンし、サービングシステムを見出すように前記ＰＲＬを使用するためのコードと、
前記ユーザが自動システム選択のためのオプションを選択した場合、
自動選択基準に関するユーザ入力を受信するためのコードと、
前記自動選択基準に基づいてＮＡＰおよび少なくとも１つのＮＳＰを自動的に選択するためのコードと、
を備え、前記ユーザ設定は、異なるサービスのための異なるＮＳＰのユーザ選択、特定のサービスのために前記ＮＳＰを変更する要求、新規のサービスに申し込む要求、またはそれらの組み合わせのうちの少なくとも１つを備える、
コンピュータ可読記憶媒体。
【請求項１８】
前記命令は、前記モバイルデバイスによって受信されるＮＡＰレコードおよびＮＳＰレコードに基づいてＮＡＰ／ＮＳＰレコードテーブルを作成するためのコードをさらに備える、
請求項１７に記載のコンピュータ可読記憶媒体。
【請求項１９】
前記ユーザが手動システム選択のためのオプションを選択した場合、前記命令は、
利用可能なＮＡＰおよびＮＳＰに関する情報を決定するためのコードと、
前記ユーザに前記利用可能なＮＡＰおよびＮＳＰに関する情報を表示するためのコードと、
ＮＡＰおよび少なくとも１つのＮＳＰを選択するユーザ入力を受信するためのコードと、
をさらに備える、請求項１７に記載のコンピュータ可読記憶媒体。
【請求項２０】
前記命令は、
前記ＮＡＰと前記ＮＳＰに関する更新された情報を受信するためのコードと、
前記更新された情報に基づいてシステム選択オプションを動的に更新するためのコードと、
をさらに備える請求項１７に記載のコンピュータ可読記憶媒体。
【発明の詳細な説明】
【技術分野】
【０００１】
本開示は、一般に通信システムに関する。より具体的に、本開示は、ワイヤレス通信システムの動的サービスベースのシステム選択およびシステム決定を容易にする方法および装置に関する。
【発明の概要】
【０００２】
動的サービスベースのシステム選択およびシステム決定を容易にする方法が開示される。方法は、モバイルデバイスによってインプリメントされ得る。方法は、ネットワークアクセスプロバイダ（ＮＡＰ）およびネットワークサービスプロバイダ（ＮＳＰ）に関して受信される情報に基づいてユーザにシステム選択オプションを提示することを含み得る。方法は、さらに、システム選択オプションに関するユーザ入力を受信することを含み得る。ユーザは、特定のＮＳＰによって提案された特定のサービスに関する入力を提供することができ得る。方法は、さらに、ユーザ入力に基づいてシステム選択に関するユーザ設定を決定することを含み得る。方法は、さらに、ユーザ設定に基づいて好ましいローミングリスト（ＰＲＬ）を作成することを含み得る。方法は、さらに、利用可能なネットワークおよびチャネルのためにスキャンし、サービングシステムを見出すためにＰＲＬを使用することを含み得る。
【０００３】
動的サービスベースのシステム選択およびシステム決定を容易にするために構成されたモバイルデバイスが開示される。モバイルデバイスは、プロセッサを含み得る。モバイルデバイスは、さらに、プロセッサと電子通信するメモリを含み得る。モバイルデバイスは、さらに、メモリに格納された命令を含み得る。その命令は、ネットワークアクセスプロバイダ（ＮＡＰ）およびネットワークサービスプロバイダ（ＮＳＰ）に関する情報に基づいてユーザにシステム選択オプションを提示することをプロセッサによって実行可能であり得る。その命令は、さらに、システム選択オプションに関するユーザ入力を受信することを実行可能であり得る。ユーザは、特定のＮＳＰによって提案された特定のサービスに関する入力を提供することができる。その命令は、さらに、ユーザ入力に基づいてシステム選択に関するユーザ設定を決定するように実行可能であり得る。その命令は、さらに、ユーザ設定に基づいて好ましいローミングリスト（ＰＲＬ）を作成するように実行可能であり得る。その命令は、利用可能なネットワークおよびチャネルのためにスキャンし、サービングシステムを見出すためにＰＲＬを使用するように実行可能である。
【０００４】
動的サービスベースのシステム選択およびシステム決定を容易にするために構成されたモバイルデバイスが開示される。モバイルデバイスは、ネットワークアクセスプロバイダ（ＮＡＰ）およびネットワークサービスプロバイダ（ＮＳＰ）に関して受信される情報に基づいてユーザにシステム選択オプションを提示するための手段を含み得る。モバイルデバイスは、さらに、システム選択オプションに関するユーザインプットを受信するための手段を含み得る。ユーザは、特定のＮＳＰによって提案された特定のサービスに関するインプットを提供することができる。モバイルデバイスは、さらに、ユーザ入力に基づいてシステム選択に関するユーザ設定を決定するための手段を含み得る。モバイルデバイスは、さらに、ユーザ設定に基づいて好ましいローミングリスト（ＰＲＬ）を作成するための手段を含み得る。モバイルデバイスは、さらに、利用可能なネットワークおよびチャネルのためにスキャンし、サービングシステムを見出すためにＰＲＬを使用するための手段を含み得る。
【０００５】
モバイルデバイスによって、動的サービスベースのシステム選択およびシステム決定を容易にするためのコンピュータプログラム製品が開示される。コンピュータプログラム製品は、その上に命令を有するコンピュータ可読媒体を含み得る。その命令は、ネットワークアクセスプロバイダ（ＮＡＰ）およびネットワークサービスプロバイダ（ＮＳＰ）に関して受信される情報に基づいてユーザにシステム選択オプションを提示することを含み得る。その命令は、さらに、システム選択オプションに関するユーザインプットを受信するためのコードを含み得る。ユーザは、特定のＮＳＰによって提案された特定のサービスに関するインプットを提供するよう許可され得る。その命令は、さらに、ユーザ入力に基づいてシステム選択に関するユーザ設定を決定するためのコードを含み得る。その命令は、さらに、ユーザ設定に基づいて好ましいローミングリスト（ＰＲＬ）を作成するためのコードを含み得る。その命令は、さらに、利用可能なネットワークおよびチャネルのためにスキャンし、サービングシステムを見出すためにＰＲＬを使用することを含み得る。
【図面の簡単な説明】
【０００６】
【図１】多数の基地局および多数のモバイルデバイスを備えるワイヤレス通信システムを説明する。
【図２】基地局およびモバイルデバイスの設計のブロック図を説明する。
【図３】動的サービスベースのシステム選択およびシステム決定を容易にするために構成される例示のシステムを説明する。
【図４】動的サービスベースのシステム選択およびシステム決定を容易にする例示の方法を説明する。
【図５】図４の方法に対応する手段プラス機能（means-plus-function）ブロックを説明する。
【図６】例示のＮＳＰレコードを説明する。
【図７】例示のＮＡＰレコードを説明する。
【図８】いくつかの例示のシステム選択のオプションを説明する。
【図９】本開示に従ってサービングシステムを置く例示の方法を説明する。
【図１０】図９の方法に対応する手段プラス機能ブロックを説明する。
【図１１】ＷｉＭＡＸネットワーク中の構造のある態様を示す例を説明する。
【図１２】本開示に従って動的サービスベースのシステム選択およびシステム決定を容易にするために構成されるモバイルデバイス内に包含され得るあるコンポーネントを説明する。
【発明を実施するための形態】
【０００７】
ここに使用されるように、用語「モバイルデバイス」は、ワイヤレス通信ネットワークを通じて音声および／またはデータ通信のために使用され得る電子デバイスを指す。モバイルデバイスの例は、携帯電話、携帯情報端末（ＰＤＡ）、ハンドヘルドデバイス、ワイヤレスモデム、ラップトップコンピュータ、パソコンなどを含む。モバイルデバイスは、あるいは、アクセス端末、モバイル端末、移動局、加入者局、リモート局、ユーザ端末、端末、加入者ユニット、ユーザ装置などと称され得る。
【０００８】
ワイヤレス通信ネットワークは、基地局によってサービスを受ける多くのモバイルデバイスそれぞれのための通信を提供し得る。基地局は、あるいは、アクセスポイント、ノードＢまたは他のある専門用語と称され得る。
【０００９】
モバイルデバイスは、アップリンクおよびダウンリンク上の送信を介して１つまたは複数の基地局と通信し得る。アップリンクリンク（または逆方向リンク）はモバイルデバイスから基地局への通信リンクを指し、ダウンリンク（または順方向リンク）は、基地局からモバイルデバイスへの通信リンクを指す。
【００１０】
ワイヤレス通信ネットワークのリソース（例えば、帯域幅および送信電力）は、多数のモバイルデバイスの間で共有され得る。様々な多元接続技法は、符号分割多元接続（ＣＤＭＡ）、時分割多元接続（ＴＤＭＡ）、周波数分割多元接続（ＦＤＭＡ）および直交周波数分割多元接続（ＯＦＤＭＡ）を含むことが既知である。
【００１１】
本明細書で説明する技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、空間分割多元接続（ＳＤＭＡ）、多入力多出力（ＭＩＭＯ）システムなどのような様々なワイヤレス通信システムに対して使用できる。「システム」および「ネットワーク」という用語は、しばしば互換的に使用される。
【００１２】
ＣＤＭＡシステムは、ユニバーサルテレストリアルラジオアクセス（ＵＴＲＡ：Universal Terrestrial Radio Access）、ＣＤＭＡ２０００などの無線技術をインプリメントすることができる。ＵＴＲＡは、広帯域ＣＤＭＡ（Ｗ−ＣＤＭＡ）およびＣＤＭＡの他の変形態を含む。ＣＤＭＡ２０００は、ＩＳ−２０００、ＩＳ−９５、およびＩＳ−８５６規格をカバーする。ＴＤＭＡシステムはグロバルシステムフォーモバイルコミュニケーション（ＧＳＭ（登録商標）：Global System for Mobile Communications）などの無線技術をインプリメントすることができる。ＯＦＤＭＡシステムは、Ｅｖｏｌｖｅｄ  ＵＴＲＡ（Ｅ−ＵＴＲＡ）、ウルトラモバイルブロードバンド（ＵＭＢ：Ultra Mobile Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭなどの無線技術を実装することができる。
【００１３】
ＵＴＲＡおよびＥ−ＵＴＲＡは、ＵＭＴＳの一部である。３ＧＰＰ  ロングタームエボリューション（ＬＴＥ）は、Ｅ−ＵＴＲＡを使用するＵＭＴＳのリリースである。ＵＴＲＡ、Ｅ−ＵＴＲＡ、ＵＭＴＳ、ＬＴＥ、およびＧＳＭは、「第３世代パートナーシッププロジェクト」（３ＧＰＰ）という名称の団体からの文書において説明される。さらに、ＣＤＭＡ２０００およびＵＭＢは、「第３世代パートナーシッププロジェクト２」（３ＧＰＰ２）という名称の団体からの文書において説明される。
【００１４】
図１は、複数の基地局１０２および複数のモバイルデバイス端末１０２をもつワイヤレス通信システム１００を示している。基地局１０２は、モバイルデバイス１０４と通信する局である。基地局１０２は、アクセスポイント、ノードＢ、発展ノードＢ（evolved Node B）、などの一部または全ての機能を包含し得る。各基地局１０２は、特定の地理的領域のための通信カバレージを提供する。「セル」という用語は、その用語が使用されるコンテキストに応じて基地局またはそのカバレージエリア１０６を指すことができる。システム容量を改善するために、基地局のカバレージエリア１０６は、複数のより小さいエリア、たとえば、３つのより小さいエリア１０８ａ、１０８ｂ、および１０８ｃに分割され得る。より小さいエリア１０８ａ、１０８ｂ、１０８ｃ各々は、それぞれの基地トランシーバ局（ＢＴＳ）によってサービスされ得る。用語「セクタ」は、ＢＴＳと称されるおよび／またはその用語が使用されるコンテキストに応じてそのカバレージエリア１０８を指すことができる。セクタ化されたセルに対して、そのセルの全セクタのためのＢＴＳは、典型的には、そのセルのための基地局１０２内にコロケート（co-locate）される。
【００１５】
モバイルデバイス１０４は、一般に、システム１００全体にわたって分布する。モバイルデバイス１０４は、さらに、アクセス端末、ユーザ装置、加入者局、局、などと称され、それらの一部または全ての機能性を包含し得る。モバイルデバイス１０４は、セルラ電話、携帯情報端末（ＰＤＡ）、ワイヤレスデバイス、ワイヤレスモデム、ハンドヘルドデバイス、ラップトップコンピュータ、などであり得る。モバイルデバイス１０４は、任意の所与の瞬間に、ダウンリンク（ＤＬ）および／またはアップリンク（ＵＬ）上の０、１つ、または多数の基地局１０４と通信することができる。ダウンリンク（または順方向リンク）は、基地局からモバイルデバイス１０４への通信リンクを指し、アップリンク（または逆方向リンク）は、モバイルデバイス１０４から基地局１０２への通信リンクを指す。
【００１６】
集中型アーキテクチャの場合、システムコントローラ１１０がＢＳ１０２と結合し、これらの基地局１０２のために調整および制御を提供する。システム制御器１１０は、単一のネットワークエンティティまたはネットワークエンティティの集まったものであり得る。分散型アーキテクチャの場合、基地局１０２は、必要に応じて互いに通信し得る。
【００１７】
図２は、図１における基地局１０２のうちの１つおよびモバイルデバイスのうちの１つである、基地局１０２およびモバイルデバイス１０４の設計のブロック図を示す。基地局１０２において、送信（ＴＸ）データおよび制御プロセッサ２１２ａは、データソース（示していない）からトラフィックデータを受信するおよび／または制御器／プロセッサ２１４ａから制御情報を受信する。プロセッサ２１２ａは、トラフィックデータおよび制御情報を処理（フォーマット、符号化、インターリーブ、およびシンボルマップ）し、変調シンボルを供給する。変調器（ＭＯＤ）２１６ａは、（例えば、ＯＦＤＭのための）変調シンボルを処理し、出力チップを提供し得る。  送信機（ＴＭＴＲ）２１８ａは、出力チップを処理（例えば、アナログに変換、増幅、フィルタ処理、およびアップコンバート）して、アンテナ２２０ａを介して送信され得るダウンリンク信号を生成する。
【００１８】
モバイルデバイス１０４において、アンテナ２２０ｂは、基地局１０２からのダウンリンク信号を受信し、受信信号を受信機（ＲＣＶＲ）２２２ｂに供給し得る。受信機２２２ｂは、受信信号を調整（たとえば、フィルタリング、増幅、ダウンコンバート、デジタル化）し、受信サンプルを得る。復調器（ＤＥＭＯＤ）２２４ｂは、（たとえば、ＯＦＤＭのための）受信サンプルを処理し、復調されたシンボルを提供し得る。受信（ＲＸ）データおよび制御プロセッサ２２６ｂは、モバイルデバイス１０４のための復号化されたデータおよび制御情報を取得するために復調されたシンボルを処理（たとえば、シンボルデマップ、デインターリーブ、復号）し得る。
【００１９】
アップリンク上で、モバイルデバイス１０４において、モバイルデバイス１０４によって送られるべきデータおよび制御情報は、ＴＸデータおよび制御プロセッサ２１２ｂによって処理され、変調器２１６ｂによって変調され、送信機２１８ｂによって調整され、アンテナ２２０ｂを介して送信され得る。基地局１０２において、モバイルデバイス１０４あるいは他のモバイルデバイス１０４からのアップリンク信号は、モバイルデバイス１０４によって送られたデータおよび制御情報を復元するために、アンテナ２２０ａによって受信され、受信機２２２ａによって調整され、復調器２２４ａによって復調され、ＲＸデータおよび制御プロセッサ２２６ａによって処理される。一般に、アップリンク送信のために処理することは、ダウンリンク送信のための処理と類似または異なり得る。
【００２０】
コントローラ／プロセッサ２１４ａおよび２１４ｂは、それぞれ基地局１０２およびモバイルデバイス１０４における操作を指示する。メモリ２２８ａおよび２２８ｂは、それぞれ基地局１０２およびモバイルデバイス１０４のためにデータおよびプログラムコードを格納し得る。スケジューラ２３０は、ダウンリンクおよび／またはアップリンク送信のためにモバイルデバイス１０４をスケジュールし、システムリソースの割り当てを提供し得る。
【００２１】
第４世代の省略形である、用語「４Ｇ」は、ワイヤレス通信において次の完成した展開を説明するために使用される用語である。４Ｇシステムは、ユーザに前の世代より高いデータ転送速度で音声、データ、およびストリームされたマルチメディアを与える、包括的なインターネットプロトコル（ＩＰ）ソリューションを提供することができる。４Ｇシステムの例示は、ＷｉＭＡＸおよび３ＧＰＰロングタームエボリューション（ＬＴＥ）を含む。
【００２２】
用語「３Ｇ」は、携帯電話標準および技法の第３世代を指す一方、用語「２Ｇ」は、携帯電話標準および技法の第２世代を指す。３Ｇシステムの例示は、ユニバーサルモバイルテレコミュニケーションシステム（ＵＭＴＳ）およびＣＤＭＡ２０００を含む。２Ｇシステムの例示は、グローバルシステムフォーモバイルコミュニケーション（ＧＳＭ）およびｃｄｍａＯｎｅを含む。
【００２３】
現在の開示は、４Ｇネットワークでの動作のために構成されるモバイルデバイスに関する。そのようなモバイルデバイスは、さらに、１つまたは複数の４Ｇネットワークに加えて１つのまたは複数の２Ｇおよび／または３Ｇネットワークでの動作のために構成され得る。この方法で構成されるモバイルデバイスは、「マルチモード」デバイスと称され得る。
【００２４】
モバイルデバイスのための１つの重要な問題は、ユーザが使用することを好むサービングシステムをすぐに見つけることである。デバイスが現在のサービングシステムを失った後にシステム再選択を必要とする場合など、この問題は、パワー・アップ（power up）の後に発生し得る。ユーザが使用することを好むサービングシステムをすぐに見つけることは、デバイスがすぐにユーザにサービスを提供し電力消費量を削減することを可能にする。
【００２５】
ユーザにとって、この問題は、ネットワークオペレータによって固定されたサービスプロバイダ／サービスを選ぶよりむしろユーザが何を必要とするかに基づいてどのようにサービスプロバイダおよびサービスを動的に選択したらいいかである。以下は、いくつかの例示である：
例示１：ユーザＡは、基本的なウェブおよび電子メールサービスのためにサービスプロバイダＸを使用し、さらにＩＰＴＶプログラムのためにサービスプロバイダＹを使用することを好む。
【００２６】
例示２：サービスプロバイダＭが現在より高速なものをより安い月額で提案するので、ユーザＢは、サービスプロバイダＮからサービスプロバイダＭにウェブと電子メールのための基本的なデータサービスを変更することを望む。
【００２７】
例示３：新規のサービスプロバイダＳは、現在３Ｄインタラクティブゲーミングサービスで利用可能である。ユーザＣは、通知を入手し、そのサービスに申しこむことを望む。
【００２８】
本開示は、これらのタイプの能力を提供するためのシステム、方法および装置を提案する。より具体的には、本開示は、システム選択および決定ベースの動的なサービスに関する。ここに開示される技法は、１つまたは複数の４Ｇネットワークに加えて１つまたは複数の２Ｇおよび／または３Ｇネットワークで動作するために構成される、マルチモードモバイルデバイスによって利用され得る。
【００２９】
本開示では、用語ネットワークアクセスプロバイダ（ＮＡＰ）は、ワイヤレス通信ネットワークへの物理リンクを提供するエンティティを指す。用語ネットワークサービスプロバイダ（ＮＳＰ）は、ワイヤレス通信ネットワークを介してサービス（例えば、インターネットプロトコルテレビ（ＩＰＴＶ）、３Ｄゲーミング、ワールドワイドウェブアクセス、電子メール、インスタントメッセージ、ボイスオーバーＩＰ（ＶｏＩＰ）など）を提供するエンティティを指す。ＮＡＰとＮＳＰは、同じエンティティまたは異なるエンティティとなり得る。
【００３０】
ここで図３を参照する。図３は、動的サービスベースのシステム選択およびシステム決定を容易にするために構成されるシステム３００の例を説明する。そのようなシステム３００は、多数のネットワークエンティティ３３２および多数のモバイルデバイス３０４を含み得る。しかしながら、簡単のために、単一のネットワークエンティティ３３２および単一のモバイルデバイス３０４が図３に示される。
【００３１】
ネットワークエンティティ３３２およびモバイルデバイス３０４は、ＷｉＭＡＸまたは４Ｇネットワークの別のタイプのような高速ワイヤレス通信ネットワークでの動作のために構成され得る。モバイルデバイス３０４は、マルチモードデバイスであり得る、つまり、１つまたは複数の４Ｇネットワークに加えて様々な２Ｇおよび／または３Ｇネットワークでの動作のために構成され得る。
【００３２】
ネットワークエンティティ３３２は、多数のネットワークサービスプロバイダ（ＮＳＰ）レコード３３４と多数のネットワークアクセスプロバイダ（ＮＡＰ）レコード３３６と共に示される。各ＮＳＰレコード３３４は、特定のＮＳＰに関する情報を含み、各ＮＡＰレコード３３６は、特定のＮＡＰに関する情報を含み得る。ＮＳＰレコード３３４およびＮＡＰレコード３３６のコンテンツの例は、以下に提供されることになる。
【００３３】
１つのＮＡＰは、多数のＮＳＰをサポートすることができる。したがって、ネットワークエンティティ３３２は、さらに多数の関連レコード３３８とともに示される。各関連レコード３３８は、特定のＮＡＰレコード３３６と１つまたは複数のＮＳＰレコード３３４との間の関連性を示し得る。このコンテキストでは、ＮＡＰレコード３３６とＮＳＰレコード３３４との間の関連性は、ＮＡＰレコード３３６が指すＮＳＰがＮＰＡレコード３３６が指すＮＡＰを介して利用可能であることを示し得る。
【００３４】
ネットワークエンティティ３３２は、モバイルデバイス３０４に、１つまたは複数のＮＡＰレコード３３６および関連するＮＳＰレコード３３４を送信するように構成され得る。これが遂行され得る多くの方法がある。ＮＡＰレコード３３６および関連するＮＳＰレコード３３４は、無線接続またはローカルなケーブル接続を介してモバイルデバイスに送信され得る。ＮＡＰレコード３３６および関連するＮＳＰレコード３３４は、多数のモバイルデバイス３０４にブロードキャストされ得る。ＷｉＭＡＸシステムでは、ＮＡＰレコード３３６および関連するＮＳＰレコード３３４は、モバイルデバイス３０４に送信されるダウンリンクＭＡＰ（ＤＬ−ＭＡＰ）メッセージに含まれ得る。
【００３５】
モバイルデバイス３０４は、ネットワークエンティティ３３２からＮＡＰレコード３３６および関連するＮＳＰレコード３３４を受信し、ＮＡＰレコード３３６および関連するＮＳＰレコード３３４を復号するように構成され得る。モバイルデバイス３０４は、さらに、ＮＡＰ／ＮＳＰレコードテーブル３４０を作成するように構成され得る。ＮＡＰ／ＮＳＰレコードテーブル３４０は、ＮＡＰレコード３３６および関連するＮＳＰレコード３３４内に含まれる情報に基づいて作成され得る。利用可能なＮＡＰ各々について、ＮＡＰ／ＮＳＰレコードテーブル３４０は、ＮＡＰと関連するＮＳＰとともに、それらのＮＳＰによって提供されるサービスに関する情報を指し示し得る。
【００３６】
モバイルデバイス３０４は、さらにシステム選択のための様々なオプション３４４に関するユーザ設定（user preference）３４２を決定するように構成され得る。これは、システム選択オプション３４４に関してユーザに情報を提示すること、およびシステム選択オプション３４４が優先されることに関するユーザ入力を受信すること、を包含し得る。システム選択オプション３４４は、ＮＡＰ／ＮＳＰレコードテーブル３４０の情報に基づいて決定され得る。システム選択オプション３４４の例は、以下で提供されることになる。
【００３７】
モバイルデバイス３０４は、さらに、決定されるユーザ設定３４２に基づいて好ましいローミングリスト（ＰＲＬ）３４６を作成するように構成され得る。ＮＡＰレコード３３６（例えば、ネットワークパラメータ）の情報は、ＰＲＬ３４６を作成するために使用され得る。
【００３８】
ＰＲＬ３４６は、ネットワーク／チャネルスキャニングを実行し、サービングシステムを見出すために使用され得る。デバイス３０４が現在のサービングシステムなどを失った後にシステム再選択を必要とする場合、ＰＲＬ３４６は、パワーアップの後にすぐにサービングシステムを見出すために使用され得る。
【００３９】
時々、ＮＡＰレコード３３６およびＮＳＰレコード３３４は、更新され得る。更新が生じる場合、更新されたＮＡＰレコード３３６および関連するＮＳＰレコード３３４は、モバイルデバイス３０４に送信され得る。モバイルデバイス３０４は、更新されたＮＡＰレコード３３６および関連するＮＳＰレコード３３４に基づいてモバイルデバイス３０４上のデータを動的に更新するように構成され得る。例えば、更新されたＮＡＰレコード３３６および関連するＮＳＰレコード３３４が受信される場合、ＮＡＰ／ＮＳＰレコードテーブル３４０は、更新され得る。それは、システム選択オプション３４４に同様の更新をさせることになる。ユーザは、更新されたシステム選択オプション３４４に基づいて彼／彼女の設定を更新する機会が与えられ得る。最新されたユーザ設定３４２に基づいて、ＰＲＬ３４６は、同様に更新され得る。
【００４０】
モバイルデバイス３０４がＮＡＰを介して特定のネットワークに所属した後、ＮＳＰからサービスを受けている間、モバイルデバイス３０４は、同じＮＳＰまたは１つまたは複数の追加のＮＳＰによって提示される追加のサービスのための通知を受信し得る。その後、そのようなサービスに関する情報は、ユーザに提示され、ユーザは、これらのサービスを購入するオプションを与えられ得る。
【００４１】
例えば、モバイルデバイス３０４が特定のネットワークに所属する場合、モバイルデバイス３０４は、広帯域ＩＰサービスとしてのみネットワークを使用することになり得る。その後、ネットワークは、他のサービスを提供することが可能であると通知し得る。そのような通知は、モバイルデバイス３０４が現在使用しているＮＳＰを介して提供され得る。
【００４２】
ここで図４を参照する。図４は、動的サービスベースのシステム選択およびシステム決定を容易にするための方法の例を説明する。方法４００は、モバイルデバイス３０４によってインプリメントされ得る。図４に示される方法４００は、図３に関連して以上で記述されたモバイルデバイス３０４の機能を要約する。
【００４３】
モバイルデバイス３０４は、１つまたは複数のネットワークエンティティ３３２からＮＡＰレコード３３６およびＮＳＰレコード３３４を受信し得る４０２。モバイルデバイス３０４は、受信するＮＡＰレコード３３６ＮＳＰレコードを復号し４０４、復号されたＮＡＰレコード３３６およびＮＳＰレコード３３４に基づいてＮＡＰ／ＮＳＰレコードテーブル３４０を作成し得る４０６。
【００４４】
ＮＡＰ／ＮＳＰレコードテーブル３４０は、システム選択に関するユーザ設定３４２を決定するために使用され得る４０８。好ましいローミングリスト（ＰＲＬ）３４６は、ユーザ設定３４２に基づいて作成され得る４１０。ＰＲＬ３４６は、ネットワーク／チャネルスキャニングを実行し、サービングシステムを見出すために使用され得る４１２。しかしながら、ＰＲＬ３４６がかならずしも作成される必要がない。ＮＡＰ／ＮＳＰレコードテーブル３４０は、システム選択のために直接使用され得る。
【００４５】
時々、ＮＡＰレコード３３６およびＮＳＰレコード３３４は、更新され得る。更新が生じる場合、モバイルデバイス３０４は、更新されたＮＡＰレコード３３６および更新されたＮＳＰレコード３３４を受信し、更新されたＮＡＰレコード３３６および更新されたＮＳＰレコード３３４に基づいてモバイルデバイス３０４（例えば、ＮＡＰ／ＮＳＰレコードテーブル３４０、システム選択オプション３４４、ユーザ設定３４２、ＰＲＬ３４６）上でデータを動的に更新する４１６。
【００４６】
以上で説明される図４の方法４００は、図５に例証される手段プラス機能ブロック５００に対応するさまざまなハードウェアおよび／またはソフトウェアコンポーネントおよび／またはモジュールによって実行され得る。言い換えれば、図４に例証されるブロック４０２から４１６は、図５に例証される手段プラス機能ブロック５０２から５１６に対応する。
【００４７】
ここで図６を参照する。図６は、ＮＳＰレコード６３６の例を説明する。以上で示されるように、ＮＳＰレコード６３６は、特定のＮＳＰに関する情報を含み得る。より具体的には、ＮＳＰレコード６３６は、ＮＳＰのための識別子（ＩＤ）６４８のほかにＮＳＰのネーム６５０も含み得る。加えて、ＮＳＰレコード６３６は、ＮＳＰによって提案される１つまたは複数のサービス６５２に関する情報を含み得る。特定のサービス６５２に関して含まれる情報は、サービスのための識別子（ＩＤ）６５４、サービスのネーム６５６、サービスに関する価格情報６５８、などを含み得る。
【００４８】
個々のサービス６５２を別々に識別する代わりに、ＮＳＰレコード６３６は、マルチプルサービス６５２のパッケージへの参照を含み得る。例えば、１つのタイプのサービスパッケージは、全ての利用可能なサービス６５２（例えば、ＩＰＴＶ、３Ｄゲーミング、ワールドワイドウェブアクセス、電子メール、インスタントメッセージ、ＶｏＩＰ、など）を含む一方、別のタイプのサービスパッケージは、利用可能なサービス６５２のサブセット（例えば、ワールドワイドウェブアクセス、電子メール、インスタントメッセージ、およびＶｏＩＰはあるが、ＩＰＴＶまたは３Ｄゲーミングがない）を含み得る。
【００４９】
ここで図７を参照する。図７は、ＮＡＰレコード７３６の例示を説明する。上に示されるように、ＮＡＰレコード７３６は、特定のＮＡＰに関する情報を含み得る。より具体的には、ＮＡＰレコード７３６は、ＮＡＰのための識別子（ＩＤ）７６０のほかにＮＡＰのネーム７６２も含み得る。加えて、ＮＡＰレコード７３６は、帯域幅７６６、帯域クラス７６８、チャネル情報７７０、などのようなＮＡＰのための１つまたは複数のネットワークパラメータ７６４に関する情報を含み得る。ＮＡＰレコード７３６のネットワークパラメータ７６４は、好ましいローミングリストを作成するために使用され得る。ＮＡＰレコード７３６は、さらに能力情報７７２（例えば最大ビットレート）およびＮＡＰについての価格情報７５８を含み得る。
【００５０】
ここで図８を参照する。図８は、システム選択オプション８４４のいくつかの例示を説明する。描写されたシステム選択オプション８４４は、手動システム選択のためのオプション８７４および自動システム選択のためのオプション８７６を含み得る。ユーザが手動システム選択のためのオプション８７４を選ぶ場合、ユーザは、利用されるＮＡＰおよびＮＳＰを手動で選択し得る。しかしながら、ユーザが自動システム選択のためのオプション８７６を選ぶ場合、モバイルデバイスは、多分ユーザが提供するある自動選択基準８７８に基づいて、利用されるＮＡＰおよびＮＳＰを自動的に選択し得る。
【００５１】
自動選択基準８７８のある例は、ＮＳＰによって選択するオプション８８０、サービスによって選択するオプション８８２、パッケージと価格によって選択するオプション８８４、価格によって選択するオプション８８６、サービス品質によって選択するオプション８８８、などを含む図８に示される。
【００５２】
例えば、指定された基準８７８が「ＮＳＰによって選択する」オプション８８０である場合、ユーザは１つ以上の好ましいＮＳＰを指定するように促され得る。マルチプルＮＳＰが指定される場合、ユーザはＮＳＰを並べるように促され得る。その後、モバイルデバイスは、指定されたＮＳＰ（ｓ）を提案するＮＡＰを自動的に選択してもよい。多数のＮＡＰが指定されたＮＳＰ（ｓ）を提案する場合、他の基準はどのＮＡＰが選択されているか決定するために使用され得る。
【００５３】
別の例として、指定された基準８７８が特定のサービスに関して「価格によって選択する」オプション８８４である場合、モバイルデバイスは、最安値で希望するサービスを提供するＮＳＰを決定し得る。その後、モバイルデバイスは、このＮＳＰおよびこのＮＳＰへのアクセスを提供する対応するＮＡＰを選択し得る。
【００５４】
ここで図９を参照する。図９は、本開示に従ってサービングシステムを置くための方法９００の例を示す。デバイスが現在のサービングシステムを失った後にシステム再選択を必要とする場合など、方法９００は、パワーアップの後にモバイルデバイスによってインプリメントされ得る。
【００５５】
モバイルデバイスは、利用可能なＮＡＰおよびＮＳＰに関する情報を決定し得る９０２。これは、モバイルデバイス上で既に供給されたＮＡＰおよびＮＳＰに制限されない；もっと正確に言えば、モバイルデバイス上に供給されていない他のＮＡＰおよびＮＳＰに関する情報がさらに決定され得る。これは、受信したＮＡＰレコードおよびＮＳＰレコードに基づいて作成されたＮＡＰ／ＮＳＰレコードテーブルを参照することを包含し得る。代替、またはこれに加えて、これは、利用可能なＮＡＰおよびＮＳＰに関する情報を積極的に探索することを包含し得る。
【００５６】
モバイルデバイスは、ユーザが手動選択か自動選択に対する設定を示したかどうか決定し得る９０４。手動選択が選ばれる場合、モバイルデバイスは、ユーザに利用可能なＮＡＰおよびＮＳＰに関する情報を表示し９０６、ＮＡＰおよびＮＳＰを選択するユーザ入力を受信する９０８。しかしながら、自動選択が選ばれる場合、モバイルデバイスは、ユーザによって指定される自動選択基準に基づいてＮＡＰおよびＮＳＰを自動的に選択し得る９１０。
【００５７】
図９の方法９００は、図１０に説明される手段プラス機能ブロック１０００に対応する様々なハードウェアおよび／またはソフトウェアコンポーネントおよび／またはモジュールによって実行され得る。言い換えれば、図９に説明されるブロック９０２から９１０は、図１０に説明される手段プラス機能ブロック１００２から１０１０に対応する。
【００５８】
ここで開示された技法は、ＷｉＭＡＸネットワークで利用され得る。ここで図１１を参照する。図１１は、ＷｉＭＡＸネットワークでのフレーム１１９０の構造のある態様を示す例を例証する。フレーム１１９０は、ガードインターバル１１９６によって分離される、ダウンリンクサブフレーム１１９２およびアップリンクサブフレーム１１９４を含む。フレーム１１９２は、Ｌ個のサブチャネル１１９８を通じて送信される。フレームに合計Ｍ個のシンボル１９９９があり、ダウンリンクサブフレーム１１９２にＮ個のシンボル１１９９があり、アップリンクサブフレーム１１９４にＭ−Ｎ個のシンボル１１９９がある。
【００５９】
多数のユーザは、フレーム１１９２内にデータ領域を割り当てられ、これらの割り当ては、ダウンリンクＭＡＰ（ＤＬ−ＭＡＰ）メッセージ１１９７およびアップリンクＭＡＰ（ＵＬ−ＭＡＰ）メッセージ１１９５に定められる。ＭＡＰメッセージ１１９７および１１９５は、使用される変調およびコーディングスキームを定義する、各ユーザのためのバーストプロファイルを含む。
【００６０】
本開示に従って、ＮＡＰレコード１１３６およびＮＳＰレコード１１３４は、ＤＬ−ＭＡＰメッセージ１１９７内に含まれ得る。したがって、ＤＬ−ＭＡＰメッセージ１１９７を復号することによって、モバイルデバイスは、利用可能なＮＡＰおよびＮＳＰに関する情報を決定し、この情報に基づいてＮＡＰ／ＮＳＰレコードテーブルを作成することができる。
【００６１】
ＮＡＰ  ＩＤは、基地局ＩＤとしてブロードキャストされ得る。ＮＳＰ  ＩＤは、加入者局基礎能力応答（ＳＢＣ−ＲＳＰ：Subscriber Station Basic Capability Response）メッセージおよびサービス識別情報（ＳＩＩ−ＡＤＶ：Service Identity Information）メッセージを通じてユニキャストされ得る。それらのメッセージは、ここに開示される情報を含むように拡大され得る。
【００６２】
ここで図１２を参照する。図１２は、本開示に従って動的サービスベースのシステム選択およびシステム決定を容易にするために構成されるモバイルデバイス１２０４内に含まれ得るあるコンポーネントを説明する。
【００６３】
モバイルデバイス１２０４は、プロセッサ１２１４を含む。プロセッサ１２１４は、汎用の単一チップまたはマルチチップマイクロプロセッサ（例えば、ＡＲＭ）、特殊用途のマイクロプロセッサ（例えばデジタルシグナルプロセッサ（ＤＳＰ））、マイクロコントローラ、プログラム可能なゲートアレイ、などであり得る。プロセッサは、中央演算処理装置（ＣＰＵ）と称され得る。単一シングルプロセッサは、図１２のモバイルデバイス１２０４に示されるが、代替構造では、プロセッサ１２１４の組み合わせ（例えば、ＡＲＭおよびＤＳＰ）が使用することができる。
【００６４】
モバイルデバイス１２０４は、さらにメモリ１２２８を含む。メモリ１２２８は、電子情報を格納することができる任意の電子コンポーネントであり得る。メモリ１２２８は、ランダムアクセスメモリ（ＲＡＭ）、読み出し専用メモリ（ＲＯＭ）、磁気ディスク記憶媒体、光学記憶媒体、ＲＡＭのフラッシュメモリデバイス、プロセッサに含まれるオンボードメモリ、ＥＰＲＯＭメモリ、ＥＥＰＲＯＭメモリ、レジスタ、など、およびこれらの組み合わせとして具体化され得る。
【００６５】
データ１２９３および命令１２９１は、メモリ１２２８に格納され得る。命令１２９１は、様々な機能をインプリメントするプロセッサ１２１４によって実行可能であり得る。命令１２９１を実行することは、メモリ１２２８に保存されるデータ１２９３の使用を包含し得る。
【００６６】
モバイルデバイス１２０４は、ネットワークアクセスプロバイダ（ＮＡＰ）およびネットワークサービスプロバイダ（ＮＳＰ）について受信する情報１２８９および１２８７に基づいてユーザに示すシステム選択オプション１２４４のための命令１２８５を含み得る。ＮＡＰ情報１２８９は、以前に議論されたＮＡＰレコードの形式を取り得る。同様に、ＮＳＰ情報１２８７は、以前に議論されたＮＳＰレコードの形式を取り得る。
【００６７】
モバイルデバイス１２０４は、さらに、システム選択に関するユーザ入力１２８１を受信するための命令１２８３を含み得る。ユーザは、特定のＮＳＰによって提示された特定のサービスに関する入力を供給することでき得る。
【００６８】
モバイルデバイス１２０４は、さらにユーザ入力１２８１に基づいてシステム選択に関するユーザ設定１２４２を決定するための命令１２７９を含み得る。ユーザ設定１２４２の多くの異なる種類が決定され得る。例えば、ユーザ設定１２４２は、（上で例示１に記述されるような）異なるサービスのための異なるＮＳＰのユーザ選択１２７３を含み得る。別の例として、ユーザ設定１２４２は、（上で例示２に記述されるように）特定のサービスのために利用されるＮＳＰを変更する要求１２７１を含み得る。また別の例として、ユーザ設定１２４２は、（上で例示３に記述されるように）新規のサービスに申し込む要求１２６９を含み得る。
【００６９】
モバイルデバイス１２０４は、さらにユーザ設定１２４２に基づく好ましいローミングリスト（ＰＲＬ）１２４６の作成のための命令１２７７を含み得る。さらに、モバイルデバイス１２０４は、利用可能なネットワークおよびチャネルのためにスキャンし、サービングシステムを見出すためにＰＲＬ１２４６を使用する命令１２７５を含み得る。
【００７０】
ここに記述される技法をインプリメントすることに関する他のタイプの命令１２９１およびデータ１２９３は、さらに、メモリ１２２８に含まれ得る。
【００７１】
モバイルデバイス１２０４は、さらにモバイルデバイスとリモートロケーションとの間の信号の送信および受信をすることができる送信機１２１８および受信機１２２２を含み得る。送信機１２１８および受信機１２２２は、全体としてトランシーバ１２７７と称され得る。アンテナ１２２０は、トランシーバ１２７７と電気的に結合され得る。モバイルデバイス１２０４は、多数の送信機、多数の受信機、多数のトランシーバおよび／または多数のアンテナを含み得る（示されてない）。
【００７２】
モバイルデバイス１２０４の様々なコンポーネントは、１つまたは複数のバスとともに結合され得る。バスは、パワーバス、制御信号バス、ステータス信号バス、データバスなどを含み得る。明瞭さのために、様々なバスは、バスシステム１２７５として図１２に例証される。
【００７３】
ここに開示される技法は、既知のアプローチに関する多くの利点を提供し得る。例えば、ここに開示される技法は、彼女／彼がオペレータとサービスプロバイダとに加えて望むサービス選択をユーザが選択することができる。
【００７４】
加えて、ネットワークオペレータに関する情報、サービスプロバイダ、およびそれらのサービスおよび価格情報は、追加され、削除され、変更することができる。新規の情報は、ローカル接続を介しておよび／または無線接続を介してモバイルデバイスに通信されることができる。モバイルデバイスは、オペレータ、サービスプロバイダ、サービス情報を動的に更新し、ユーザに更新された情報を提示することができる。これは新規のオペレータ、サービスプロバイダおよびサービスをユーザに対して簡単に案内することができる。これは、４Ｇシステムの公開とともに特に有効である。
【００７５】
ここに開示された技法の別の潜在的な利点は、モバイルデバイスが効率的なチャネルスキャニングを可能にするために好ましいローミングリストを動的に更新することができるということである。これは、モバイルデバイスの電力消費量を削減し、より速いサービングシステム選択を容易にするために役立ち得る。
【００７６】
上記の説明では、参照番号は、様々な用語に関連して時々使用されてきた。用語が参照番号に関連して使用される場合、これは、１つまたは複数の図で示される特定のエレメントを参照するよう意図される。用語が参照番号なしで使用される場合、これは任意の特別な図に対して制限のない用語を一般に指すよう意図される。例えば、「モバイルデバイス１２０４」に対する参照は、図１２に示される特定のモバイルデバイスを指す。しかしながら、参照番号のない「モバイルデバイス」の使用は、用語が使用されるコンテキストに適した任意のモバイルデバイスを指し、図で示される任意の特別なモバイルデバイスに制限されるものではない。
【００７７】
ここに使用されるように、用語「決定すること」は、多種多様なアクションを網羅する。したがって、「決定すること」は、計算すること、コンピューティングすること、処理すること、導出すること、調査すること、ルックアップすること（たとえば、テーブル、データベース、または別のデータ構造をルックアップすること）、確認すること、およびそれらと同様のことを含むことができる。さらに、「決定すること」は、受信すること（たとえば、情報を受信すること）、アクセスすること（たとえば、メモリのデータにアクセスすること）、およびそれらと同様のことを含むことができる。さらに、「決定すること」は、決断すること、選択すること、選ぶこと、確立すること、およびそれらと同様のことを含むことができる。
【００７８】
語句「基づいて」は、他の明示した指定がない限り「のみに基づいて」を意味しない。言い換えれば、語句「基づいて」は、「のみに基づいて」と「少なくとも基づいて」との両方を記述する。
【００７９】
用語「プロセッサ」は、汎用プロセッサ、中央演算処理装置（ＣＰＵ）、マイクロプロセッサ、デジタルシグナルプロセッサ（ＤＳＰ）、コントローラ、マイクロコントローラ、ステートマシン、などを網羅するために広く解釈されるべきである。ある状況の下では、「プロセッサ」は、特定用途向け集積回路（ＡＳＩＣ）、プログラマブル論理デバイス（ＰＬＤ）、フィールドプログラマブルゲートアレイ（ＦＰＧＡ）、などを指し得る。用語「プロセッサ」は、制御演算装置の組み合わせ、例えば、ＤＳＰとマイクロプロセッサの組み合わせ、複数のマイクロプロセッサ、ＤＳＰコアと連動する１つまたは複数のマイクロプロセッサ、または任意の他のそのような構成を指し得る。
【００８０】
用語「メモリ」は、電子情報を格納することができる任意の電子コンポーネントも網羅するために広く解釈されるべきである。用語メモリは、ランダムアクセスメモリ（ＲＡＭ）、読み出し専用メモリ（ＲＯＭ）、不揮発性ランダムアクセスメモリ（ＮＶＲＡＭ）、プログラマブル読み出し専用メモリ（ＰＲＯＭ）、消去可能プログラマブル読み出し専用メモリ（ＥＰＲＯＭ）、電気的消去・書き込み可能ＰＲＯＭ（ＥＥＰＲＯＭ）、フラッシュメモリ、磁気データまたは光学データ記憶装置、レジスタ、などのような様々なタイプのプロセッサ可読媒体を指し得る。プロセッサがメモリから情報を読み出すおよび／またはメモリに情報を書き込むことができる場合、メモリは、プロセッサと電子通信中であると言う。メモリはプロセッサに不可欠なものであり、常にプロセッサと電子通信中であると言うことができる。
【００８１】
用語「命令」、「コード」は、任意のタイプのコンピュータ可読ステートメントを含めるために広く解釈されるべきである。例えば、用語「命令」および「コード」は、１つまたは複数のプログラム、ルーチン、サブルーチン、関数、プロシージャなどを指し得る。「命令」および「コード」は、単一のコンピュータ可読ステートメントあるいは多くのコンピュータ可読ステートメントを含み得る。用語「命令」および「コード」は、ここで交換可能に使用され得る。
【００８２】
ここに記述される機能は、ハードウェア、ソフトウェア、ファームウェア、またはそれらの任意の組み合わせをインプリメントすることができる。ソフトウェアでインプリメントされる場合、機能は、コンピュータ可読媒体上の１つまたは複数の命令を格納することができる。用語「コンピュータ可読媒体」は、コンピュータによってアクセスすることが任意の利用可能な媒体を指す。限定ではなく例示の目的で、コンピュータ可読媒体は、ＲＡＭ、ＲＯＭ、ＥＥＰＲＯＭ、ＣＤ−ＲＯＭ、または他の光学ディスク記憶装置、または他の磁気ディスク記憶装置、または命令またはデータ構造の形式で所望のプログラムコードを伝達または格納するために使用されることができコンピュータによってアクセスすることができる任意の他の媒体を備えることができる。ここで使用されるディスク（disk）およびディスク（disc）には、コンパクトディスク（ＣＤ）、レーザーディスク（登録商標）、光ディスク、デジタルバーサタイルディスク（ＤＶＤ）、フロッピー（登録商標）ディスク、およびブルーレイディスクが含まれ、ただし、ディスク（disk）は、通常、データを磁気的に再現するのに対して、ディスク（disc）は、レーザーを使用してデータを光学的に再現する。
【００８３】
ソフトウェアまたは命令は、さらに送信媒体を通じて送信され得る。例えば、ソフトウェアが、同軸ケーブル、光ファイバケーブル、より対線、デジタル加入者線（ＤＳＬ）、あるいは赤外線、無線、およびマイクロ波などのワイヤレス技法を使用してウェブサイト、サーバ、または他の遠隔ソースから送信される場合、その同軸ケーブル、光ファイバケーブル、より対線、ＤＳＬ、あるいは赤外線、無線、およびマイクロ波などの無線技術が、媒体の定義に含められる。
【００８４】
ここに開示された方法は、１つまたは複数のステップを備える、または説明される方法を達成するための１つまたは複数のアクションを備える。方法ステップおよび／またはアクションは、請求の範囲から外れずに、互いに交換され得る。言いかえれば、ステップまたはアクションの特定の順序が記述されている方法の適切な動作のために要求されない限り、特定のステップおよび／またはアクションの順序および／または使用は、請求の範囲から外れずに修正され得る。
【００８５】
さらに、図４および９によってそれらの例証されるようなここで開示される方法および技法を実行するためのモジュールおよび／または適切な手段は、適用できるモバイルデバイスによってダウンロードされるおよび／またはほかに取得されることができる。例えば、そのようなデバイスは、ここに記述された方法を実行するための手段の移転を容易にするサーバに結合されることができる。加えて、ここに記述された様々な方法は、モバイルデバイスがデバイスに記憶手段と結合した上で様々な方法を取得することができるような、記憶手段（例えばランダムアクセスメモリ（ＲＡＭ）、読み出し専用メモリ（ＲＯＭ）、コンパクトディスク（ＣＤ）、またはフロッピーディスク、など）を介して提供されることができる。さらに、デバイスに対してここで記述された方法および技法を提供するための任意の他の技法は、利用されることができる。
【００８６】
請求項が以上に例証される正確な構成およびコンポーネントに限定されないことを理解されたい。様々な修正、変更および変化は、システム、方法、および請求の範囲から外れずに、ここに記述された装置の配置、動作および詳細で行なわれ得る。
【図１】
0005405580.tif 000002
【図２】
0005405580.tif 000003
【図３】
0005405580.tif 000004
【図４】
0005405580.tif 000005
【図５】
0005405580.tif 000006
【図６】
0005405580.tif 000007
【図７】
0005405580.tif 000008
【図８】
0005405580.tif 000009
【図９】
0005405580.tif 000010
【図１０】
0005405580.tif 000011
【図１１】
0005405580.tif 000012
【図１２】
0005405580.tif 000013